(57)【特許請求の範囲】
【請求項１】
順に連接された貼着板、正面板、右側面板、背面板、左側面板により形成され貼着板の外側に左側面板を重ねて貼着して成る筒状胴部と前記背面板の上部延長上に天面板及び蓋面板を連接し、該天面板の両側に蓋側面板を有しかつ該蓋側面板の上部延長上に蓋貼着耳片をそれぞれ延設すると共に、前記正面板の上部延長上に係止片を延設し、かつ前記筒状胴部の下端を閉鎖する構成を設けたブランク板から形成されるカートンであって、前記貼着板は貼着部下半構成板と貼着部上半構成板に分設する第１の二次開封連繋横破断線を備え、前記正面板は正面下半構成板と正面上半構成板に分設する第２の二次開封連繋横破断線を備え、前記右側面板は右側面下半構成板と右側面上半構成板に分設する第３の二次開封連繋横破断線を備え、前記左側面板は左側面下半構成板と左側面上半構成板に分設する第４の二次開封連繋横破断線を備え、前記背面板は背面下半構成板と残りの部分に分設する第１の横折線及びこの残りの部分を更に背面中間構成板と背面上半構成板に分設する第２の横折線を備えると共に、前記第１の横折線の両端から上部延長上の背面板両側端に二次開封縦破断線を備え、前記第１の横折線は、前記第３の二次開封連繋横破断線の背面板の側の端部と前記第４の二次開封連繋横破断線の背面板の側の端部に連続しており、前記第２の横折線は前記第１の横折線の上部に配設されており、前記第１から第４の二次開封連繋横破断線及び前記第１の横折線は、前記筒状胴部の天地方向における同じ高さ位置に配設されており、前記貼着板は、前記第１の二次開封連繋横破断線の延長線と交差する外側端に切欠を備えており、前記貼着板の幅方向の寸法は前記左側面板の幅方向の寸法よりも小さく設定されている、ことを特徴とする二段階再封可能なカートン。
【請求項２】
順に連接された貼着板、正面板、右側面板、背面板、左側面板により形成され貼着板の外側に左側面板を重ねて貼着して成る筒状胴部と前記背面板の上部延長上に天面板及び蓋面板を連接し、該天面板の両側に蓋側面板を有しかつ該蓋側面板の上部延長上に蓋貼着耳片をそれぞれ延設すると共に、前記正面板の上部延長上に係止片を延設し、かつ前記筒状胴部の下端を閉鎖する構成を設けたブランク板から形成されるカートンであって、前記貼着板は貼着部下半構成板と貼着部上半構成板に分設する第１の二次開封連繋横破断線を備え、前記正面板は正面下半構成板と正面上半構成板に分設する第２の二次開封連繋横破断線を備え、前記右側面板は右側面下半構成板と右側面上半構成板に分設する第３の二次開封連繋横破断線を備え、前記左側面板は左側面下半構成板と左側面上半構成板に分設する第４の二次開封連繋横破断線を備え、前記背面板は背面下半構成板と残りの部分に分設する第１の横折線及びこの残りの部分を更に背面中間構成板と背面上半構成板に分設する第２の横折線を備えると共に、前記第１の横折線の両端から上部延長上の背面板両側端に二次開封縦破断線を備え、前記第１の横折線は、前記第３の二次開封連繋横破断線の背面板の側の端部と前記第４の二次開封連繋横破断線の背面板の側の端部に連続しており、前記第２の横折線は前記第１の横折線の上部に配設されており、前記第１から第４の二次開封連繋横破断線及び前記第１の横折線は、前記筒状胴部の天地方向における同じ高さ位置に配設されており、前記貼着板は、前記第１の二次開封連繋横破断線の延長線と交差する外側端に切欠を備えており、前記貼着板の幅方向の寸法は前記左側面板の幅方向の寸法よりも小さく設定されており、前記第１の二次開封連繋横破断線を構成する間欠的なカット部の長さは前記第２から第４の二次開封連繋横破断線を構成する間欠的なカット部の長さよりも大きく設定されている、ことを特徴とする二段階再封可能なカートン。
【請求項３】
前記蓋面板の開放縁に差込片を突設すると共に、前記正面板に前記差込片を挿入可能な一次再封用差込溝を穿設し、更に、前記背面板に前記差込片を挿入可能な二次再封用差込溝を穿設したことを特徴とする請求項１または請求項２記載の二段階再封可能なカートン。
【請求項４】
前記左右両側面板に前記蓋側面板がそれぞれ挿入可能な二次再封用切込を穿設したことを特徴とする請求項１または請求項２記載の二段階再封可能なカートン。
【発明の詳細な説明】
【技術分野】
【０００１】
本発明は、スナック菓子や食品を収納する紙箱に係り、詳しくは一枚のブランク板から直方体状に形成され、開封後、当初のカートンでの再封が可能であると共に、内容物の容量の減少に合わせてカートンを小さくすること（減容化）ができ、この状態でも再封することが可能な、二段階再封可能なカートンに関する。
【背景技術】
【０００２】
従来、この種の包装箱として、包装箱に収納された物品の残存量に応じて、包装箱の一部を切除し、折り曲げ、あるいは分離し、残存部分で蓋を形成するなどして容積を縮小することを特徴とする包装箱に関する発明、例えば特許文献1などが提案され、該特許出願に係る明細書中、その他の実施例３として、図６及び図７が示され、段落００１４に、「また他の方法として、包装箱の切除する部分を変え、図６で示したミシン目どうりに切り取れば図７に仕上がり、折り曲げ縮小する方法がある。」と述べられ、図７に、直方体をなす包装箱の一方の小口端縁が開放し、後面板からは前記小口端縁の閉鎖板といわゆる塵取り型の被せ蓋構成部分が延設され、被せ蓋型の閉鎖構成を有する包装箱が示され、図１及び段落００１０で述べられる原形の包装箱の一部を切除し、残存部分を前記構成としたものとして提案されている（例えば、特許文献１参照）。
【特許文献１】特開２００５−１６２２３４号公報
【０００３】
しかしながら、前記特許文献１に示された発明に係る包装箱では、物品が収納される包装箱が、図１の展開図に示され、図２の斜視図に立体として示されるいわゆるシールエンド形式（筒状に形成され両端縁を糊着する形式）の包装箱で、当初の開封状態は図２に示されるように、包装箱の一方の端縁を押しあけたもので、この状態（使用開始当初の状態）での再封が示されていないので、包装箱は開放状態となって収納された物品が不用意に飛び出したりするため、保存や携帯に支障が生じるという問題があった。また、図７に示された形状を形成するにあたって、図１のいわゆるシールエンドカートン形式からなる原形の包装箱の、どの構成部分をどのように切除し、折り曲げ、あるいは分離し、どの構成の残存部分の一部で蓋を形成して、容積を縮小するのかが、明瞭に開示されたものでは無いため、前記段落００１４に述べられた、「ミシン目」によって切除して、図７に示された形状を形成するとすれば、切除並びに分離に煩雑な操作と時間を要し、前記操作によって、収納された物品を毀損したり包装箱自体を破損することにより、容積を縮小して再閉鎖するという機能を損なうことも予測された。
収納される物品には、例えばキャンディー等のように、少量ずつ消費される物品もあり、使用開始当初の包装箱サイズでの保存が必要とされる場合と、収納される物品が少なくなってから、包装箱の減容化により保存することが必要となる場合の、二段階に対応できる包装箱が望まれている。
【発明の開示】
【発明が解決しようとする課題】
【０００４】
そこで、本発明の目的は、上記問題を解決するためになしたものであって、スナック菓子や食品等を収納するカートンにおいて、一枚のブランク板から廻動型被せ蓋付きの直方体状カートンに形成され、使用開始後しばらくは当初のカートンサイズでの廻動型被せ蓋による開放および再封保存が可能で、その後の使用により内容物容量が減少するのに合わせ、特に収納する物品がほぼ半減する状態ではカートンもほぼ半減されて再封保存が可能となる、開封操作が容易で、かつ操作に伴うカートン毀損等がなく、しかも簡便に二段階の再封が可能なカートンを提供することにある。
【課題を解決するための手段】
【０００５】
上記課題を解決するため、請求項１記載の発明は、順に連接された貼着板、正面板、右側面板、背面板、左側面板により形成され貼着板の外側に左側面板を重ねて貼着して成る筒状胴部と前記背面板の上部延長上に天面板及び蓋面板を連接し、該天面板の両側に蓋側面板を有しかつ該蓋側面板の上部延長上に蓋貼着耳片をそれぞれ延設すると共に、前記正面板の上部延長上に係止片を延設し、かつ前記筒状胴部の下端を閉鎖する構成を設けたブランク板から形成されるカートンであって、前記貼着板は貼着部下半構成板と貼着部上半構成板に分設する第１の二次開封連繋横破断線を備え、前記正面板は正面下半構成板と正面上半構成板に分設する第２の二次開封連繋横破断線を備え、前記右側面板は右側面下半構成板と右側面上半構成板に分設する第３の二次開封連繋横破断線を備え、前記左側面板は左側面下半構成板と左側面上半構成板に分設する第４の二次開封連繋横破断線を備え、前記背面板は背面下半構成板と残りの部分に分設する第１の横折線及びこの残りの部分を更に背面中間構成板と背面上半構成板に分設する第２の横折線を備えると共に、前記第１の横折線の両端から上部延長上の背面板両側端に二次開封縦破断線を備え、前記第１の横折線は、前記第３の二次開封連繋横破断線の背面板の側の端部と前記第４の二次開封連繋横破断線の背面板の側の端部に連続しており、前記第２の横折線は前記第１の横折線の上部に配設されており、前記第１から第４の二次開封連繋横破断線及び前記第１の横折線は、前記筒状胴部の天地方向における同じ高さ位置に配設されており、前記貼着板は、前記第１の二次開封連繋横破断線の延長線と交差する外側端に切欠を備えており、前記貼着板の幅方向の寸法は前記左側面板の幅方向の寸法よりも小さく設定されている、ことを特徴とする二段階再封可能なカートンである。
【０００６】
同じく、請求項２記載の発明は、順に連接された貼着板、正面板、右側面板、背面板、左側面板により形成され貼着板の外側に左側面板を重ねて貼着して成る筒状胴部と前記背面板の上部延長上に天面板及び蓋面板を連接し、該天面板の両側に蓋側面板を有しかつ該蓋側面板の上部延長上に蓋貼着耳片をそれぞれ延設すると共に、前記正面板の上部延長上に係止片を延設し、かつ前記筒状胴部の下端を閉鎖する構成を設けたブランク板から形成されるカートンであって、前記貼着板は貼着部下半構成板と貼着部上半構成板に分設する第１の二次開封連繋横破断線を備え、前記正面板は正面下半構成板と正面上半構成板に分設する第２の二次開封連繋横破断線を備え、前記右側面板は右側面下半構成板と右側面上半構成板に分設する第３の二次開封連繋横破断線を備え、前記左側面板は左側面下半構成板と左側面上半構成板に分設する第４の二次開封連繋横破断線を備え、前記背面板は背面下半構成板と残りの部分に分設する第１の横折線及びこの残りの部分を更に背面中間構成板と背面上半構成板に分設する第２の横折線を備えると共に、前記第１の横折線の両端から上部延長上の背面板両側端に二次開封縦破断線を備え、前記第１の横折線は、前記第３の二次開封連繋横破断線の背面板の側の端部と前記第４の二次開封連繋横破断線の背面板の側の端部に連続しており、前記第２の横折線は前記第１の横折線の上部に配設されており、前記第１から第４の二次開封連繋横破断線及び前記第１の横折線は、前記筒状胴部の天地方向における同じ高さ位置に配設されており、前記貼着板は、前記第１の二次開封連繋横破断線の延長線と交差する外側端に切欠を備えており、前記貼着板の幅方向の寸法は前記左側面板の幅方向の寸法よりも小さく設定されており、前記第１の二次開封連繋横破断線を構成する間欠的なカット部の長さは前記第２から第４の二次開封連繋横破断線を構成する間欠的なカット部の長さよりも大きく設定されている、ことを特徴とする二段階再封可能なカートンである。
【０００７】
同じく、請求項３記載の発明は、前記蓋面板の開放縁に差込片を突設すると共に、前記正面板に前記差込片を挿入可能な一次再封用差込溝を穿設し、更に、前記背面板に前記差込片を挿入可能な二次再封用差込溝を穿設したことを特徴とする請求項１または請求項２記載の二段階再封可能なカートンである。
【０００８】
同じく、請求項４記載の発明は、前記左右両側面板に前記蓋側面板がそれぞれ挿入可能な二次再封用切込を穿設したことを特徴とする請求項１または２記載の二段階再封可能なカートンである。
【発明の効果】
【０００９】
本発明のカートンは、一枚のブランク板から廻動型被せ蓋付きの直方体状カートンに形成され、カートン胴部両側端間の略半分の正面板側に位置する右側面板、正面板、左側面板を横断する二次開封連繋横破断線と二次開封縦破断線を設けたので、使用開始後しばらくは当初のカートンサイズでの開放および再封保存が可能で、その後の使用により内容物容量が減少するのに合わせ、特に収納する物品がほぼ半減する状態ではカートン胴部もほぼ半減され、内容物の取り出しが容易になると共に、カートンが減容化した状態での再封保存が可能となり、二段階の再封が可能となる効果を有する。
【００１０】
前述の如く、内容物容量の減少後は、カートンの一部を破断および分離することにより、残存部分が減容量後の保存カートンとなり、再閉鎖にあたっては、切り残された背面中間構成板、背面上半構成板及び蓋部構成部分を順次折り曲げ、蓋面板に突設された差込片の二次再封差込溝への差し込みという簡便な操作によって行なうことができる。上記減容化の効果は、開封後のカートンの保存・収納スペース、例えば冷蔵庫内での効率的収納を図れ、或いは持ち運びや移送の際のスペースを少なくすることが出来る点にあり、例えば減容化できない大きなカートンの中での揺動を抑えて、菓子等の内容物の破損を防ぐことができる。
【発明を実施するための最良の形態】
【００１１】
上記本発明につき、図面等を用いて以下に詳述する。図１は本発明に係る二段階再封可能なカートンの実施例のブランク状態を示す展開平面図。図２（Ａ）は同じく実施例の折畳貼り合せ状態を示す説明用平面図。図２（Ｂ）は同じく実施例の組立途中起函状態を示す説明用斜視図。図２（Ｃ）は同じく実施例の組立途中頭部貼着状態を示す説明用斜視図。図２（Ｄ）は同じく実施例の組立完了状態を示す説明用斜視図。図３（Ａ）は同じく実施例の一次開放状態を示す説明用斜視図。図３（Ｂ）は同じく実施例の一次再封完了状態を示す説明用斜視図。図４（Ａ）は同じく実施例の二次開放状態を示す説明用斜視図。図４（Ｂ）は同じく実施例の二次再封途中状態を示す説明用斜視図。図４（Ｃ）は同じく実施例の二次再封完了状態を示す説明用斜視図。図５は本発明に係る二段階再封可能なカートンの他実施例のブランク状態を示す展開平面図。図６（Ａ）は同じく他実施例の二次開放状態を示す説明用斜視図。図６（Ｂ）は同じく他実施例の二次再封途中状態を示す説明用斜視図。図６（Ｃ）は同じく他実施例の二次再封完了状態を示す説明用斜視図である。
【００１２】
図１は本発明に係る二段階再封可能なカートンの実施例のブランク状態を示す展開平面図であって、板紙等シート材を打抜き加工して形成されるブランクＰは、折線Ｌ１、Ｌ２、Ｌ３、Ｌ４を介して貼着板５、正面板１、右側面板２、背面板３、左側面板４を順に連設し、前記背面板３の上端延長上には折線Ｌ５、Ｌ６を介して天面板６、蓋面板７が順に連設され、前記天面板６の左右両側にはそれぞれ折線Ｌ２５、Ｌ２６を介して蓋右側面板８、蓋左側面板９が連設されると共に前記右側面板２及び左側面板４のそれぞれ上端辺に刃止め付切線Ｌ１１、Ｌ１２を介して連設しており、該蓋右側面板８及び蓋左側面板９の上端辺にはそれぞれ折線Ｌ９、Ｌ１０を介して、前記蓋面板７側の側縁を係止切欠１８、１９として穿設した蓋貼着耳片１０、１１が連設し、前記蓋面板７の上端縁中央からやや左偏向位置に折線Ｌ７を介して半円弧状に差込片１６が突設し、正面板１の上端辺には折線Ｌ８を介して両側端を斜辺とした略台形の係止片１７が延設されている。前記正面板１の上端近傍でやや右偏向位置には上端辺から前記蓋面板７の高さと略等しい間隔を置いて一次再封用差込溝２０が逆ハの字状の補助切線を上辺に有して穿設され、前記背面板３の下端近傍でやや左偏向位置には下端辺から前記蓋面板７の高さと略等しい間隔を置いて二次再封用差込溝２１がハの字状の補助切線を下辺に有して穿設されている。前記背面板３は上下高さ方向の中央に前記天面板６の奥行き（ｍ）と略等しい間隔をあけて上下に設けられた折線Ｌ２０、Ｌ１６により、それぞれ上から順に背面上半構成板（３ｃ）、背面中間構成板（３ｂ）、背面下半構成板（３ａ）に分設されており、前記折線Ｌ１６の左端からの延長線は前記右側面板２、正面板１、貼着板５に渉って二次開封連繋横破断線Ｌ１５、Ｌ１４、Ｌ１３で横断すると共に前記右側面板２、正面板１、貼着板５をそれぞれ上下に、右側面上半構成板（２ｂ）と右側面下半構成板（２ａ）、正面上半構成板（１ｂ）と正面下半構成板（１ａ）、貼着部上半構成板（５ｂ）と貼着部下半構成板（５ａ）に分設し、前記折線Ｌ１６の右端からの延長線は前記左側面板４を二次開封連繋横破断線Ｌ１７で横断すると共に前記左側面板４を上下に左側面上半構成板（４ｂ）と左側面下半構成板（４ａ）に分設している。また、前記背面上半構成板（３ｃ）及び背面中間構成板（３ｂ）と隣り合う前記右側面上半構成板（２ｂ）及び左側面上半構成板（４ｂ）間にはそれぞれ二次開封縦破断線Ｌ１８及びＬ１９が穿設されている。さらに、前記正面板１、右側面板２、背面板３、左側面板４のそれぞれ下端延長上には折線Ｌ２１、Ｌ２３、Ｌ２２、Ｌ２４を介して底面板１２、耳片１４、重合底面板１３、耳片１５が連設されている。
【００１３】
図２（Ａ）は実施例の折畳貼り合せ状態を示す説明用平面図で、前述のブランクＰからの組立に際し、先ず折線Ｌ２と二次開封縦破断線Ｌ１９を含む折線Ｌ４及び天面板６の一側端の折線Ｌ２６を用いて折り畳み、左側面板４と図には示せないが貼着板５との貼着により接続を行い平板な筒状を形成する。
【００１４】
図２（Ｂ）は実施例の組立途中起函状態を示す説明用斜視図で、前述の折畳貼り合せ状態の平板な筒状から、折線Ｌ１、Ｌ２、Ｌ３、Ｌ４を用いて角筒状に起立させ、角筒上端の刃止め付切線Ｌ１１及びＬ１２の刃止め箇所を解除して、背面板３の上方に蓋構成部分が展開状態とすると共に、角筒下端の底面板１２、重合底面板１３、耳片１４及び１５を折線Ｌ２１、Ｌ２２、Ｌ２３及びＬ２４を用いて折り曲げ重合し、所定位置を貼着して底部を閉鎖形成した状態を示している。
【００１５】
図２（Ｃ）は実施例の頭部貼着状態を示す説明用斜視図で、前述した背面板３上方の蓋構成部分の展開状態から、折線Ｌ５を用いて天面板６を角筒上端に折り曲げ当接すると共に、図には表れないが正面板１の上端の係止片１７が折線Ｌ８を用いて逆折りし角筒外方へ折り出され、次いで、折線Ｌ２５及びＬ２６を用いて蓋右側面板８及び蓋左側面板９を折り曲げてそれぞれを右側面板２及び左側面板４の上端部に略当接した状態とし、折線Ｌ９及びＬ１０を用いて蓋貼着耳片１０及び１１を折り曲げてそれぞれを前記正面板１の上端に略当接状態とした後、折線Ｌ６を用いて蓋面板７を折り曲げ、重合する前記蓋貼着耳片１０及び１１に貼着して、図２（Ｄ）に示す製函完了状態となる。尚、前記蓋面板７の折り曲げ貼着に伴い、前記係止片１７は前記蓋面板７の内面に当接すると共に該係止片１７の端辺は前記蓋貼着片１０及び１１に穿設された係止切欠１８、１９それぞれの端縁に当接係止状態となる。
【００１６】
図２（Ｂ）に示した組立途中の状態における底部の閉鎖形成は、図２（Ｃ）の頭部貼着の工程後に行われてもよいものであり、菓子等の内容物の収容・充填についても、図２（Ｂ）に示した底部の閉鎖形成後に、角筒の上端開放部分より投入・充填することもできるし、図２（Ｃ）に示した頭部貼着加工後、閉鎖されていない底部開放部分からの投入・充填としてもよいものである。
尚、通常、内容物の投入・充填と端部（頭部及び底部）の閉鎖形成により組立完了状態となったカートンは、オーバーラップ（上包）若しくはシュリンク包装（熱収縮包装）されて、商品状態が構成される。
【００１７】
図３（Ａ）は実施例の一次開放状態を示す説明用斜視図で、図２（Ｄ）のように内容物が投入・充填され製函完了状態とされ、前述のようにオーバーラップ若しくはシュリンク包装でフィルム外装されたカートンから、外装を取り除き、蓋面板７から突設された差込片１６を摘まみ持つか蓋部構成部分全体を掴んで、折線Ｌ５を支点とする廻動操作を行えば、前述した係止片１７の蓋貼着耳片１０及び１１の係止切欠１８、１９の端縁部分との係止状態が解かれて、カートン上端部分は開放され、内容物の取り出し使用が可能となる。
【００１８】
図３（Ｂ）は実施例の一次再封完了状態を示す説明用斜視図で、一次開放状態での初期の内容物取り出し使用においては、再封操作は前述した開放操作の巻戻し操作により行うこととなる。すなわち図３（Ａ）の開放状態から、折線Ｌ５を支点とした廻動操作により、カートン上端開放部に天面板６を当接させるようにすると、蓋面板７の内面に貼着されている蓋貼着耳片１０及び１１の係止切欠１８、１９それぞれの端縁に係止片１７の端辺が当接係止状態となって、前述した組立完了状態と同様の一次再封状態となる。このとき、前記再封操作において、前記蓋面板７の端辺から突設されている差込片１６を折線Ｌ７により軽く曲げながら、正面板１の所定位置に穿設された一次再封用差込溝２０に差し込めば、図３（Ｂ）に示す状態で再封が完了し、前記のように単に蓋部構成部分を廻動することにより再封した場合に比べ、カートンの携帯途中での蓋部分の引っ掛かりなどによる不用意な蓋部開放をより防止することができる。
【００１９】
図４（Ａ）は実施例の二次開放状態を示す説明用斜視図で、内容物の取り出し使用が進み、残量が少なくなった場合、図３（Ａ）の一次開放状態から、蓋部構成部分全体を把持したまま、背面上半構成板（３ｃ）及び背面中間構成板（３ｂ）のそれぞれ両側端辺の二次開封縦破断線Ｌ１８、Ｌ１９を用いて背面板３を切り開き、次いで左側面板４、正面板１、右側面板２及び貼着板５を分設する二次開封連繋横破断線Ｌ１７、Ｌ１４、Ｌ１５及びＬ１３を用いて水平に切り開くと、図４（Ａ）の右側に示すような水平断面略コ字状からなる部品を切り取ると共に、同じく左側に示すような本体部分を切り残すこととなる。
尚、本実施例では、残容量を１／２程度で設定しているが、内容物の性質や内容物自体の包装状態、カートンのサイズ比率により折線等の位置は変化させることができる。
【００２０】
図４（Ｂ）は実施例の二次再封途中状態を示す説明用斜視図で、図４（Ａ）の左側に示すような本体部分の切り残し状態、すなわち上端が開放し、正面下半構成板（１ａ）、右側面下半構成板（２ａ）、背面下半構成板（３ａ）、左側面下半構成板（４ａ）で角筒状に構成され、底部が貼着閉鎖された本体部分から、背面下半構成板（３ａ）上端延長上に連続する背面中間構成板（３ｂ）を折線Ｌ１６を用いて折り曲げ、前記上端開放部分を閉鎖し、次いで折線Ｌ２０を用いて背面上半構成板（３ｃ）を折り曲げて正面下半構成板（１ａ）に略当接させた状態を表している。
【００２１】
次に、折線Ｌ５を用いて蓋部構成部分を折り曲げ、天面板６を底面板１２に当接させるようにすると共に、蓋面板７を背面下半構成板（３ａ）に当接しつつ、前記蓋面板７の端辺から突設されている差込片１６を折線Ｌ７を用いて軽く曲げながら、背面下半構成板（３ａ）の所定位置に穿設された二次再封用差込溝２１に差し込めば、図４（Ｃ）に示す状態で二次再封が完了して、残量が少なくなった内容物をタイトな状態で再包装する。
【００２２】
上述のように、内容物の残量が減少して、図３（Ａ）に示す状態での使用に不都合が生じる場合、すなわち角筒状のカートンの深い部分に内容物が有り、取り出しにくい場合や、カートンの携帯時に内容物がカートン内部で揺動して内容物が破損したり、同じく揺動による撥音が迷惑になる場合、カートンを減容化してタイトに包装することにより、開放状態では収納部上端までのカートン深さが浅くなり、内容物が取り出し易くなり、カートンの携帯時に内容物がカートン内部で揺動し難いので内容物の破損が抑止でき、また揺動による撥音を抑えることができるので周囲に迷惑を掛けることも少なくできる。
【００２３】
図５は本発明に係る二段階再封可能なカートンの他実施例のブランク状態を示す展開平面図で、先述の実施例と同様に板紙等シート材を打抜き加工して形成されるブランクＰ’は、折線Ｌ１０１、Ｌ１０２、Ｌ１０３、Ｌ１０４を介して貼着板１０５、正面板１０１、右側面板１０２、背面板１０３、左側面板１０４を順に連設し、前記背面板１０３の上端延長上には折線Ｌ１０５、Ｌ１０６を介して天面板１０６、蓋面板１０７が順に連設され、前記天面板１０６の左右両側にはそれぞれ折線Ｌ１２５、Ｌ１２６を介して蓋右側面板１０８、蓋左側面板１０９が連設されると共に前記右側面板１０２及び左側面板１０４のそれぞれ上端辺に刃止め付切線Ｌ１１１、Ｌ１１２を介して連設しており、該蓋右側面板１０８及び蓋左側面板１０９の上端辺にはそれぞれ折線Ｌ１０９、Ｌ１１０を介して、前記蓋面板１０７側の側縁を係止切欠１１８、１１９として穿設した蓋貼着耳片１１０、１１１が連設し、前記蓋面板１０７の上端縁中央からやや左偏向位置に折線Ｌ１０７を介して半円弧状に差込片１１６が突設し、正面板１０１の上端辺には折線Ｌ１０８を介して両側端を斜辺とした略台形の係止片１１７が延設されている。前記正面板１０１の上端近傍でやや右偏向位置には上端辺から前記蓋面板１０７の高さと略等しい間隔を置いて一次再封用差込溝１２０が逆ハの字状の補助切線を上辺に有して穿設され、前記右側面板１０２及び左側面板１０４の所定位置にはそれぞれ下端を折線Ｌ１０３及び１０４に接する略逆ノの字形の二次再封用切込１２１及び略ノの字形の二次再封用切込１２２が穿設され、前記左側面板１０４に重合貼着される貼着板１０５には重合部分に略ノの字形の補助切込１２３が穿設されている。前記背面板は上下高さ方向の略中央を横断する折線Ｌ１１６と該折線Ｌ１１６の上部で前記天面板１０６の奥行き（ｎ）と略等しい間隔をおいて設けられた折線Ｌ１２０とにより、それぞれ上から順に背面上半構成板（１０３ｃ）、背面中間構成板（１０３ｂ）、背面下半構成板（１０３ａ）に分設されており、前記折線Ｌ１１６の左端からの延長線は前記右側面板１０２、正面板１０１、貼着板１０５に渉って二次開封連繋横破断線Ｌ１１５、Ｌ１１４、Ｌ１１３で横断すると共に前記右側面板１０２、正面板１０１、貼着板１０５をそれぞれ上下に、右側面上半構成板（１０２ｂ）と右側面下半構成板（１０２ａ）、正面上半構成板（１０１ｂ）と正面下半構成板（１０１ａ）、貼着部上半構成板（１０５ｂ）と貼着部下半構成板（１０５ａ）に分設し、前記折線Ｌ１１６の右端からの延長線は、前記左側面板１０４を二次開封連繋横破断線Ｌ１１７で横断すると共に、前記左側面板１０４を上下に左側面上半構成板（１０４ｂ）と左側面下半構成板（１０４ａ）に分設している。また、前記背面上半構成板（１０３ｃ）及び背面中間構成板（１０３ｂ）と隣り合う前記右側面上半構成板（１０２ｂ）及び左側面上半構成板（１０４ｂ）間にはそれぞれ二次開封縦破断線Ｌ１１８及びＬ１１９が穿設されている。さらに、前記正面板１０１、右側面板１０２、背面板１０３、左側面板１０４のそれぞれ下端延長上には折線Ｌ１２１、Ｌ１２３、Ｌ１２２、Ｌ１２４を介して底面板１１２、耳片１１４、重合底面板１１３、耳片１１５が連設されている。
【００２４】
上記本発明に係る二段階再封可能なカートンの他実施例の組立に関しては、先述した実施例とほぼ同様であるので図示を省略したが、ブランクＰ’からの組立に際し、先ず折線Ｌ１０２と二次開封縦破断線Ｌ１１９を含む折線Ｌ１０４及び天面板１０６の一側端の折線Ｌ１２６を用いて折り畳み、左側面板１０４と貼着板１０５との貼着により接続を行い平板な筒状を形成して折畳貼り合せ状態となる。
次いで製函加工において、折畳貼り合せ状態の平板な筒状から、折線Ｌ１０１、Ｌ１０２、Ｌ１０３、Ｌ１０４を用いて角筒状に起立させ、角筒上端の刃止め付切線Ｌ１１１及びＬ１１２の刃止め箇所を解除して、背面板１０３の上方に蓋構成部分を展開状態とすると共に、角筒下端の底面板１１２、重合底面板１１３、耳片１１４及び１１５を折線Ｌ１２１、Ｌ１２２、Ｌ１２３及びＬ１２４を用いて折り曲げそれぞれ重合し、所定位置を貼着して底部を閉鎖形成する。
次に、折線Ｌ１０５を用いて天面板１０６を角筒上端に折り曲げ当接すると共に、正面板１０１の上端の係止片１１７が折線Ｌ１０８を用いて逆折りし角筒外方へ折り出され、次いで、折線Ｌ１２５及びＬ１２６を用いて蓋右側面板１０８及び蓋左側面板１０９を折り曲げてそれぞれを右側面板１０２及び左側面板１０４の上端部に略当接した状態とし、折線Ｌ１０９及びＬ１１０を用いて蓋貼着耳片１１０及び１１１を折り曲げてそれぞれを前記正面板１０１の上端に略当接状態とした後、折線Ｌ１０６を用いて蓋面板１０７を折り曲げ、重合する前記蓋貼着耳片１１０及び１１１に貼着して、先に示した図２（Ｄ）の製函完了状態と略同様となる。尚、前記蓋面板１０７の折り曲げ貼着に伴い、前記係止片１１７は前記蓋面板１０７の内面に当接すると共に該係止片１１７の端辺は前記蓋貼着片１１０及び１１１に穿設された係止切欠１１８、１１９それぞれの端縁に当接係止状態となることも、先の実施例と同様である。
【００２５】
上述の組立と同様に、本発明に係る二段階再封可能なカートンの他実施例の一次開放及び一次再封についても、先述の実施例とほぼ同様であるので図示を省略したが、内容物が投入・充填され製函完了状態とされ、先述のようにオーバーラップ若しくはシュリンク包装でフィルム外装されたカートンから、外装を取り除き、蓋面板１０７から突設された差込片１１６を摘まみ持つか蓋部構成部分全体を掴んで、折線Ｌ１０５を支点とする廻動操作を行えば、前述した係止片１１７の蓋貼着耳片１１０及び１１１の係止切欠１１８、１１９の端縁部分との係止状態が解かれて、カートン上端部分は開放され、内容物の取り出し使用が可能となる。
次に再封に関して、一次開放状態での初期の内容物取り出し使用においては、再封操作は前述した開放操作の巻戻し操作により行うこととなる。すなわち開放状態から、折線Ｌ１０５を支点とした廻動操作により、カートン上端開放部に天面板１０６を当接させるようにすると、蓋面板１０７の内面に貼着されている蓋貼着耳片１１０及び１１１の係止切欠１１８、１１９それぞれの端縁に係止片１１７の端辺が当接係止状態となり、一次再封状態となる。このとき、前記再封操作において、前記蓋面板１０７の端辺から突設されている差込片１１６を折線Ｌ１０７により軽く曲げながら、正面板１０１の所定位置に穿設された一次再封用差込溝１２０に差し込めば、図３（Ｂ）に示す状態と同様に一次再封が完了し、単に蓋部構成部分を廻動することにより再封した場合に比べ、カートンの携帯途中での蓋部分の引っ掛かりなどによる不用意な蓋部開放を防ぐことができる。
【００２６】
図６（Ａ）は上記他の実施例の二次開放状態を示す説明用斜視図で、内容物の取り出し使用が進み、残量が少なくなった場合、図３（Ａ）に示した実施例と同様に一次開放状態から、蓋部構成部分全体を把持したまま、背面上半構成板（１０３ｃ）及び背面中間構成板（１０３ｂ）のそれぞれ両側端辺の二次開封縦破断線Ｌ１１８、Ｌ１１９を用いて背面板１０３を切り開き、次いで左側面板１０４、正面板１０１、右側面板１０２及び貼着板１０５を分設する二次開封連繋横破断線Ｌ１１７、Ｌ１１４、Ｌ１１５及びＬ１１３を用いて水平に切り開くと、図６（Ａ）の右側に示すような水平断面略コ字状からなる部品を切り取ると共に、同じく左側に示すような本体部分を切り残すこととなる。
尚、本実施例では、残容量を１／２程度で設定しているが、内容物の性質や内容物自体の包装状態、カートンのサイズ比率により折線等の位置は変化させることができる。
【００２７】
図６（Ｂ）は上記他の実施例の二次再封途中状態を示す説明用斜視図で、図６（Ａ）の左側に示すような本体部分の切り残し状態、すなわち上端が開放し、正面下半構成板（１０１ａ）、右側面下半構成板（１０２ａ）、背面下半構成板（１０３ａ）、左側面下半構成板（１０４ａ）で角筒状に構成され、底部が貼着閉鎖された本体部分から、背面下半構成板（１０３ａ）上端延長上に連続する背面中間構成板（３ｂ）を折線Ｌ１１６により折り曲げ、前記上端開放部分を閉鎖し、次いで折線Ｌ１２０を用いて背面上半構成板（１０３ｃ）及び連続する蓋部構成部分を折り曲げた状態を表している。
【００２８】
次に、図には現われないが、折線Ｌ１２０をさらに折り曲げて背面上半構成板（１０３ｃ）及び連続する蓋部構成部分を折り曲げ、同じく図には現われないが、正面下半構成板（１０１ａ）に当接させ、蓋面板１０７を底面板１１２に当接させると共に、蓋右側面板１０８及び蓋左側面板１０９をそれぞれ右側面下半構成板（１０２ａ）及び左側面下半構成板（１０４ａ）に当接しつつ、前記蓋右側面板１０８及び蓋左側面板１０９のそれぞれの角部を、前記右側面下半構成板（１０２ａ）及び左側面下半構成板（１０４ａ）の所定位置にそれぞれ穿設された二次再封用差込溝１２１及び１２２に差し込めば、図６（Ｃ）に示す状態で二次再封が完了し、残量が減少した内容物をタイトな状態で再包装する。
尚、図６（Ｃ）の二次再封完了状態を示す説明用斜視図において、蓋面板１０７の端縁に突設された半円弧状の差込片１１６は、折線Ｌ１０７により折り曲げられて前記蓋面板１０７の内面に当接すると共に、底面板１１２との間で挟持状態となっており、図に現われるように二次再封状態の直方体から突出することがないので、カートンの携帯途中での蓋部分の引っ掛かりなどによる不用意な蓋部開放がない。
【図面の簡単な説明】
【００２９】
【図１】本発明に係る二段階再封可能なカートンの実施例のブランク状態を示す展開平面図。
【図２】（Ａ）同じく実施例の折畳貼り合せ状態を示す説明用平面図。（Ｂ）同じく実施例の組立途中起函状態を示す説明用斜視図。（Ｃ）同じく実施例の頭部貼着状態を示す説明用斜視図。（Ｄ）同じく実施例の製函完了状態を示す説明用斜視図。
【図３】（Ａ）同じく実施例の一次開放状態を示す説明用斜視図。（Ｂ）同じく実施例の一次再封完了状態を示す説明用斜視図。
【図４】（Ａ）同じく実施例の二次開放状態を示す説明用斜視図。（Ｂ）同じく実施例の二次再封途中状態を示す説明用斜視図。（Ｃ）同じく実施例の二次再封完了状態を示す説明用斜視図。
【図５】本発明に係る二段階再封可能なカートンの他実施例のブランク状態を示す展開平面図。
【図６】（Ａ）同じく他実施例の二次開放状態を示す説明用斜視図。（Ｂ）同じく他実施例の二次再封途中状態を示す説明用斜視図。（Ｃ）同じく他実施例の二次再封完了状態を示す説明用斜視図。
【符号の説明】
【００３０】
Ｐ                ブランク
１                正面板
（１ａ）          正面下半構成板
（１ｂ）          正面上半構成板
２                右側面板
（２ａ）          右側面下半構成板
（２ｂ）          右側面上半構成板
３                背面板
（３ａ）          背面下半構成板
（３ｂ）          背面中間構成板
（３ｃ）          背面上半構成板
４                左側面板
（４ａ）          左側面下半構成板
（４ｂ）          左側面上半構成板
５                貼着板
（５ａ）          貼着部下半構成板
（５ｂ）          貼着部上半構成板
６                天面板
（ｍ）            天面板の奥行き
７                蓋面板
８                蓋右側面板
９                蓋左側面板
１０、１１          蓋貼着耳片
１２                底面板
１３                重合底面板
１４、１５          耳片
１６                差込片
１７                係止片
１８、１９          係止切欠
２０                一次再封用差込溝
２１                二次再封用差込溝
Ｌ１〜Ｌ１０、Ｌ１６、Ｌ２０〜Ｌ２６  折線
Ｌ１１、Ｌ１２        刃止め付切線
Ｌ１３〜Ｌ１５、Ｌ１７  二次開封連繋横破断線
Ｌ１８、Ｌ１９        二次開封縦破断線
Ｐ’              ブランク
１０１                正面板
（１０１ａ）          正面下半構成板
（１０１ｂ）          正面上半構成板
１０２                右側面板
（１０２ａ）          右側面下半構成板
（１０２ｂ）          右側面上半構成板
１０３                背面板
（１０３ａ）          背面下半構成板
（１０３ｂ）          背面中間構成板
（１０３ｃ）          背面上半構成板
１０４                左側面板
（１０４ａ）          左側面下半構成板
（１０４ｂ）          左側面上半構成板
１０５                貼着板
（１０５ａ）          貼着部下半構成板
（１０５ｂ）          貼着部上半構成板
１０６                天面板
（ｎ）              天面板の奥行き
１０７                蓋面板
１０８                蓋右側面板
１０９                蓋左側面板
１１０、１１１        蓋貼着耳片
１１２                底面板
１１３                重合底面板
１１４、１１５        耳片
１１６                差込片
１１７                係止片
１１８、１１９        係止切欠
１２０                一次再封用差込溝
１２１、１２２        二次再封用切込
１２３                補助切込
Ｌ１０１〜Ｌ１１０、Ｌ１１６、Ｌ１２０〜Ｌ１２４  折線
Ｌ１１１、Ｌ１１２      刃止め付切線
Ｌ１１３〜Ｌ１１５、Ｌ１１７  二次開封連繋横破断線
Ｌ１１８、Ｌ１１９      二次開封縦破断線
【図１】
0005326337.tif 000002
【図２】
0005326337.tif 000003
【図３】
0005326337.tif 000004
【図４】
0005326337.tif 000005
【図５】
0005326337.tif 000006
【図６】
0005326337.tif 000007